(57)【要約】【課題】施工が容易で景観性の高い間詰めブロックマットセットおよび法面構造を提供すること。【解決手段】本発明の間詰めブロックセットは、高さと底面の奥行きが同一で、底面の幅がそれぞれ異なる複数の種類の間詰めブロックを備え、間詰めブロックの高さおよび底面の奥行きは標準ブロックと同一であり、間詰めブロックの底面の幅は標準ブロックより小さいことを特徴とする。本発明の法面構造は、一定角度相互に傾斜した状態で斜面に敷設した２つのブロックマットと、２つのブロックマットのフィルターシートの間に敷設した接続シートと、２つのブロックマットの標準ブロックの間に標準ブロックと同じ向きで配置した間詰めブロックマットセットと、を備えることを特徴とする。【選択図】図１
2019015088.tif 000002
【特許請求の範囲】
【請求項１】
それぞれフィルターシートの一面に複数の標準ブロックを縦横に連続して付設してなる２つのブロックマットを、一定角度相互に傾斜した状態で並べて敷設した状態、または前記ブロックマットを構造物に近接して敷設した状態において、前記２つのブロックマットの標準ブロックの間、または前記ブロックマットの標準ブロックと前記構造物の間に形成される隙間に配置する、間詰めブロックセットであって、
高さと底面の奥行きが同一で、底面の幅がそれぞれ異なる複数の種類の間詰めブロックを備え、
前記間詰めブロックの高さおよび底面の奥行きは前記標準ブロックと同一であり、
前記間詰めブロックの底面の幅は前記標準ブロックより小さいことを特徴とする、
間詰めブロックセット。
【請求項２】
前記間詰めブロックは、底面から頂面に向かって漸次的に幅および奥行きが減少し、正面視および側面視において台形状を呈することを特徴とする、請求項１に記載の間詰めブロックセット。
【請求項３】
前記間詰めブロックの底面の幅は、前記標準ブロックの幅の５／１０、３／１０、および２／１０の組合せを含むことを特徴とする、請求項１または２に記載の間詰めブロックセット。
【請求項４】
一定角度相互に傾斜した状態で斜面に敷設した２つのブロックマットと、
前記２つのブロックマットのフィルターシートの間に敷設した接続シートと、
前記２つのブロックマットの標準ブロックの間に標準ブロックと同じ向きで配置した請求項１乃至３のいずれか一項に記載の間詰めブロックマットセットと、を備えることを特徴とする、
法面構造。
【請求項５】
構造物に近接して敷設したブロックマットと、
前記ブロックマットのフィルターシートと前記構造物との間に敷設した接続シートと、
前記ブロックマットの標準ブロックと前記構造物との間に標準ブロックと同じ向きで配置した請求項１乃至３のいずれか一項に記載の間詰めブロックマットセットと、を備えることを特徴とする、
法面構造。
【発明の詳細な説明】
【技術分野】
【０００１】
本発明は、ブロックマット間の隙間やブロックマットと構造物の隙間に配置する間詰めブロックセットおよびこれを用いてなる法面構造に関する。
【背景技術】
【０００２】
ブロックマットは、樹脂製不織布シートの一面にコンクリートブロックを連続配置してなり、海岸、河川、ため池等の法面に敷設することで、護岸や法面の安定化を図ることができる。特許文献１及び２には、ブロックマットにかかる従来技術が開示されている。
ブロックマットは、河道の湾曲が大きな個所や、構造物周辺などに敷設する場合、隣接するブロックマット間に隙間が生じる。このような場合、従来技術では、隣り合うブロックマットのコンクリートブロック間に型枠を設置し、現場打ちコンクリートを打設して隙間を埋めていた（図４）。
【先行技術文献】
【特許文献】
【０００３】
【特許文献１】特開２０１１−１０６１８４号公報
【特許文献２】特開２０１１−２６９４７号公報
【発明の概要】
【発明が解決しようとする課題】
【０００４】
従来技術には、次のような課題がある。
＜１＞型枠の設置、コンクリートの打設、整形等の作業を斜面で行うため施工の難度が高い。また、コンクリートの養生に時間がかかる。従って施工効率が悪い。
＜２＞整列配置されたコンクリートブロックの隙間を連続したコンクリート体で接続するため、不調和で景観性が悪い。
＜３＞コンクリート体は表面に凹凸がなく、斜面の傾斜方向にわたって連続するため、歩行者が滑りやすい。
【課題を解決するための手段】
【０００５】
以上の課題を解決する本発明の間詰めブロックセットは、高さと底面の奥行きが標準ブロックと同一で、底面の幅がそれぞれ異なる複数の種類の間詰めブロックを組み合わせてなり、間詰めブロックの高さおよび底面の奥行きは標準ブロックと同一であり、間詰めブロックの底面の幅は標準ブロックより小さいことを特徴とする。
【０００６】
本発明の間詰めブロックセットは、間詰めブロックが底面から頂面に向かって漸次的に幅と奥行きが減少し、正面視および側面視において台形状を呈してもよい。
【０００７】
本発明の間詰めブロックセットは、各間詰めブロックの底面の幅が、標準ブロックの幅の５／１０、３／１０、および２／１０の組合せであってもよい。
【０００８】
本発明の法面構造は、一定角度相互に傾斜した状態で斜面に敷設した２つのブロックマットの間に接続シートを敷設し、標準ブロックと同じ向きで間詰めブロックマットセットを配列してなることを特徴とする。
【０００９】
本発明の法面構造は、ブロックマットと構造物の間に接続シートを敷設し、標準ブロックと同じ向きで間詰めブロックマットセットを配列してなることを特徴とする。
【発明の効果】
【００１０】
本発明は以上の構成より、次の効果のうち少なくとも一つを備える。
＜１＞型枠の設置やコンクリート打設等の作業が不要で、間詰めブロックを手で配置するだけで施工できる。このため、作業が容易で施工性が高い。
＜２＞間詰めブロックの寸法が既設ブロックに対応しているため、既設部分と間詰め部分の調和がよく、景観性が高い。
＜３＞ブロック体の連続で構成されるため、隙間や表面に凹凸を備える。このため、歩行者が滑りにくく安全である。
【図面の簡単な説明】
【００１１】
【図１】本発明に係る間詰めブロックセットおよび法面構造の説明図。
【図２】本発明に係る間詰めブロックセットの寸法の説明図。
【図３】実施例３の説明図。
【図４】従来技術の説明図。
【発明を実施するための形態】
【００１２】
以下、図面を参照しながら本発明の間詰めブロックセットおよび法面構造について詳細に説明する。
本明細書では、まず法面構造について説明し、その中で間詰めブロックセットについて説明する。
【実施例１】
【００１３】
[斜面構造]
＜１＞全体の構成（図１）。
本発明の法面構造Ａは、法面の湾曲部等に形成される構造であって、相互に一定角度傾斜した状態で法面に敷設した２つのブロックマット３と、２つのブロックマット３のフィルターシート３２の間に敷設した接続シート２と、２つのブロックマット３の標準ブロック３１の間に配置した間詰めブロックセット１と、を備える。
すなわち、ブロックマット３は矩形を呈するため、法面の湾曲部において、隣接するブロックマット３の間にＶ字形状などの隙間が生じる。本発明の法面構造Ａは、この隙間を接続シート２と間詰めブロックセット１で接続してなる。
なお、構造物との隙間に形成される構造については実施例２にて後述する。
【００１４】
＜１．１＞ブロックマット。
ブロックマット３は、フィルターシート３２の一面に、複数の標準ブロック３１を縦横に連続して付設してなる。各標準ブロック３１は、底面がフィルターシート３２の表面に一体に固定される。
標準ブロック３１は、凹凸を備え底面が略矩形を呈する立体形状のコンクリートブロック体である。
本例では、標準ブロック３１の凹凸形状をそれぞれ９０°ずつ向きを変えて縦横に４つ連続配置することで、幾何学模様を呈する略正方形の標準ブロックユニット３１’を構成できるように形成されている（図２）。標準ブロックユニット３１’の底面中央部および四隅にはアンカーピン打設用の開口を有する。
フィルターシート３２は、法面の吸出し防止機能を備えるシート材である。
本例では、ポリエステル製不織布のフィルターシートを採用する。但し、素材はこれに限られず、ポリエチレン等の化学繊維であってもよい。また、不織布でなく、織物や編物等であってもよい。
【００１５】
＜２＞間詰めブロックセット（図２）。
間詰めブロックセット１は、標準ブロック３１間の隙間に配置するコンクリートブロックのセットである。
間詰めブロックセット１は、高さと底面の奥行きが同一で、底面の幅がそれぞれ異なる複数の種類の間詰めブロック１０の組合せからなる。
本発明の間詰めブロックセット１は、各間詰めブロック１０の標準ブロック３１に対する寸法比に特徴を有する。
【００１６】
＜３＞間詰めブロック（図２）。
本例では、間詰めブロック１０は、底面の幅がそれぞれ異なる、第一間詰めブロック１０ａ、第二間詰めブロック１０ｂ、および第三間詰めブロック１０ｃ、の三種類からなる。
なお、これに限られず、例えば、第一間詰めブロック１０ａおよび第二間詰めブロック１０ｂの二種類の組合せとしたり、底面幅の異なる間詰めブロックを加えて四種類以上の組合せとしてもよい。
各間詰めブロック１０は、底面から頂面に向かって漸次的に幅と奥行きが小さくなり、正面視および側面視が台形状を呈する。
【００１７】
＜３．１＞間詰めブロックの寸法比（図２）。
第一間詰めブロック１０ａ、第二間詰めブロック１０ｂ、および第三間詰めブロック１０ｃの高さと底面の奥行きは、標準ブロック３１の高さおよび底面の奥行きと同一である。
第一間詰めブロック１０ａ、第二間詰めブロック１０ｂ、および第三間詰めブロック１０ｃの底面の幅は、標準ブロック３１の底面の幅とそれぞれ異なる。
標準ブロックの底面の幅をＷＳ、第一間詰めブロック１０ａ、第二間詰めブロック１０ｂ、および第三間詰めブロック１０ｃの底面の幅をそれぞれＷ１、Ｗ２、Ｗ３とすると、それぞれの幅は以下の比率となる。
[ＷＳ：Ｗ１：Ｗ２：Ｗ３＝１０：５：３：２]
また、各間詰めブロック１０を幅方向に組み合わせることで、５＋２＝７、５＋３＝８・・等の比率を作ることもできる。
なお、各間詰めブロック１０の比率はこれに限らず、例えばＷＳ：Ｗ０＝１０：４や１０：１などを揃えてもよい。
本発明の間詰めブロックセット１は、このように複数種類の間詰めブロック１０を組み合わせることで、様々な隙間の幅に対応できるため、汎用性および設計の柔軟性が高い。
【００１８】
＜４＞接続シート。
接続シート２は、隣接するブロックマット３のフィルターシート３２間の隙間を繋ぐためのシート材である。
フィルターシート３２同様の素材を、フィルターシート３２間の隙間の形状に切断して製造する。
【００１９】
＜５＞施工方法。
本発明の法面構造Ａの施工方法について説明する。
（１）湾曲した法面上に２枚のブロックマット３を敷設する。このほか、既設のブロックマット３に近接してブロックマット３を敷設してもよい。
２枚のブロックマット３の間にはＶ字形状の隙間が生じ、隙間から斜面が露出する。
（２）Ｖ字に対応した形状に切り抜いた接続シート２を２枚のブロックマット３のフィルターシート３２間に敷設して隙間を繋ぐ。
（３）間詰めブロック１０の設置の邪魔にならない位置にアンカーピンを打つなどして、接続シート２を斜面に固定する。
（４）接続シート２の表面に間詰めブロック１０を付着させる。付着には接着剤を使用する。
間詰めブロック１０は、標準ブロック３１と向きと間隔を合わせて配置する。
各間詰めブロック１０は、標準ブロック３１の配置に応じて、互いに密接させるかまたは互いに一定の間隔を置いて配置する。
本発明の間詰めブロック１０は、上面の面積が底面の面積より小さい側面視台形状を呈するため、相互に密接して配置しても隣の間詰めブロック１０との間に指が挟まらず設置作業が容易である。
各間詰めブロック１０は、両標準ブロック３１間の間隔の変化に合わせて使い分ける。すなわち、最も間隔の小さい最下部では、最も幅が小さい第三間詰めブロック１０ｃを配置し、間隔の広がりに応じて、第二間詰めブロック１０ｂ、第一間詰めブロック１０ａ、と幅を変えて配置する。
また、標準ブロック３１間の間隔が第一間詰めブロック１０ａの幅より大きくなったら、それより上段では複数の間詰めブロック１０を組み合わせて使用する。
【実施例２】
【００２０】
引き続き、本発明の法面構造をブロックマットと構造物の隙間に形成する実施例について説明する。構造物とは、例えば橋脚や建物などである。
本例の法面構造Ａは、法面に敷設したブロックマット３と、構造物とブロックマット３のフィルターシート３２の間に敷設した接続シート２と、構造物とブロックマット３の標準ブロック３１の間に配置した間詰めブロックセット１と、を備える。
外形の異なる複数種類の間詰めブロック１０を適宜組み合わせることによって、ブロックマット３との景観上の調和を維持しつつ、外縁の形状が異なる様々な構造物との間詰めに適用することができる。
【実施例３】
【００２１】
実施例１では、標準ブロック３１が凹凸を備えるブロックマット３同士を接続する場合について説明したが、標準ブロック３１が平面からなる立方体であってもよい（図３）。
【符号の説明】
【００２２】
１      間詰めブロックセット
１０    間詰めブロック
１０ａ  第一間詰めブロック
１０ｂ  第二間詰めブロック
１０ｃ  第三間詰めブロック
２      接続シート
３      ブロックマット
３１    標準ブロック
３１’  標準ブロックユニット
３２    フィルターシート
Ａ      法面構造
【図１】
2019015088.tif 000003
【図２】
2019015088.tif 000004
【図３】
2019015088.tif 000005
【図４】
2019015088.tif 000006